(57)【要約】【課題】電子メールの送受信機能を有さないファクシミリ装置と電子メールの送受信機能を有する情報処理装置との間における電子情報の伝達を文章付きの電子メールで実現する。【解決手段】ファクシミリ装置におけるファクシミリ画情報の圧縮符号の生成に際し、当該ファクシミリ画情報に係る付帯情報を圧縮符号フォーマットで規定された所定のマーカセグメントで管理する。そして、ファクシミリ画情報の圧縮符号を電子メールの添付画像ファイルＡとし、当該ファクシミリ画情報に係る付帯情報を電子メールの文章Ｂとすることで、ファクシミリ装置で生成したファクシミリ画情報を、情報処理装置において添付画像ファイル及び文章で構成される電子メールとして扱う。これにより、電子メールの送受信機能を有さないファクシミリ装置と電子メールの送受信機能を有する情報処理装置との間における電子情報の伝達を文章付きの電子メールで実現することができる。【選択図】        図１３
2004236228.tif 000002
【特許請求の範囲】
【請求項１】
ファクシミリ画情報の送受信機能を有するファクシミリ装置と、このファクシミリ装置に対してネットワークを介して接続されておりファクシミリ画情報及び電子メールの送受信機能を有する情報処理装置との間における電子情報伝達方法において、
前記ファクシミリ装置におけるファクシミリ画情報の圧縮符号の生成に際し、当該ファクシミリ画情報に係る付帯情報を圧縮符号フォーマットで規定された所定のマーカセグメントで管理するステップと、
前記ファクシミリ装置から受け取った前記ファクシミリ画情報の圧縮符号の前記マーカセグメントで管理されている前記付帯情報を前記情報処理装置で取得するステップと、
前記ファクシミリ画情報の圧縮符号を電子メールの添付画像ファイルとし、当該ファクシミリ画情報に係る付帯情報を電子メールの文章とするステップと、
を含むことを特徴とする電子情報伝達方法。
【請求項２】
圧縮符号フォーマットはＪＰＥＧ２０００の符号フォーマットであって、前記付帯情報を管理する前記マーカセグメントはＣＯＭマーカであることを特徴とする請求項１記載の電子情報伝達方法。
【請求項３】
ファクシミリ画情報の送受信機能を有するファクシミリ装置において、
前記ファクシミリ画情報の圧縮符号の生成に際し、当該ファクシミリ画情報に係る付帯情報を圧縮符号フォーマットで規定された所定のマーカセグメントで管理する付帯情報管理手段を備えることを特徴とするファクシミリ装置。
【請求項４】
圧縮符号フォーマットはＪＰＥＧ２０００の符号フォーマットであって、前記付帯情報を管理する前記マーカセグメントはＣＯＭマーカであることを特徴とする請求項３記載のファクシミリ装置。
【請求項５】
請求項３または４記載のファクシミリ装置に対してネットワークを介して接続可能とされておりファクシミリ画情報及び電子メールの送受信機能を有する情報処理装置において、
前記ファクシミリ装置から受け取ったファクシミリ画情報の圧縮符号のマーカセグメントで管理されている付帯情報を取得する付帯情報取得手段と、
前記ファクシミリ画情報の圧縮符号を電子メールの添付画像ファイルとし、当該ファクシミリ画情報に係る付帯情報を電子メールの文章とする電子メール生成手段と、
を備えることを特徴とする情報処理装置。
【請求項６】
ファクシミリ画情報の送受信機能を有するファクシミリ装置に備えられるコンピュータにインストールされるか、あるいは解釈されて実行されるプログラムであって、前記コンピュータに、
前記ファクシミリ画情報の圧縮符号の生成に際し、当該ファクシミリ画情報に係る付帯情報を圧縮符号フォーマットで規定された所定のマーカセグメントで管理する付帯情報管理機能を実行させることを特徴とするプログラム。
【請求項７】
請求項３または４記載のファクシミリ装置に対してネットワークを介して接続可能とされておりファクシミリ画情報及び電子メールの送受信機能を有する情報処理装置に備えられるコンピュータにインストールされるか、あるいは解釈されて実行されるプログラムであって、前記コンピュータに、
前記ファクシミリ装置から受け取ったファクシミリ画情報の圧縮符号のマーカセグメントで管理されている付帯情報を取得する付帯情報取得機能と、
前記ファクシミリ画情報の圧縮符号を電子メールの添付画像ファイルとし、当該ファクシミリ画情報に係る付帯情報を電子メールの文章とする電子メール生成機能と、
を実行させることを特徴とするプログラム。
【請求項８】
ファクシミリ画情報の送受信機能を有するファクシミリ装置に備えられるコンピュータにインストールされるか、あるいは解釈されて実行されるプログラムであって、前記コンピュータに、
前記ファクシミリ画情報の圧縮符号の生成に際し、当該ファクシミリ画情報に係る付帯情報を圧縮符号フォーマットで規定された所定のマーカセグメントで管理する付帯情報管理機能を実行させるプログラムを記憶することを特徴とする記憶媒体。
【請求項９】
請求項３または４記載のファクシミリ装置に対してネットワークを介して接続可能とされておりファクシミリ画情報及び電子メールの送受信機能を有する情報処理装置に備えられるコンピュータにインストールされるか、あるいは解釈されて実行されるプログラムであって、前記コンピュータに、
前記ファクシミリ装置から受け取ったファクシミリ画情報の圧縮符号のマーカセグメントで管理されている付帯情報を取得する付帯情報取得機能と、
前記ファクシミリ画情報の圧縮符号を電子メールの添付画像ファイルとし、当該ファクシミリ画情報に係る付帯情報を電子メールの文章とする電子メール生成機能と、
を実行させるプログラムを記憶することを特徴とする記憶媒体。
【発明の詳細な説明】
【０００１】
【発明の属する技術分野】
本発明は、電子情報伝達方法、ファクシミリ装置、情報処理装置、プログラム及び記憶媒体に関する。
【０００２】
【従来の技術】
高精細静止画像の取扱いを容易にする画像圧縮伸長技術に対する高性能化あるいは多機能化の要求は、今後、ますます強くなっていくことは必至と思われる。こうした高精細静止画像の取扱いを容易にする画像圧縮伸長アルゴリズムとしては、現在のところ、ＪＰＥＧ（Ｊｏｉｎｔ  Ｐｈｏｔｏｇｒａｐｈｉｃ  Ｅｘｐｅｒｔｓ  Ｇｒｏｕｐ）が最も広く使われている。また、２００１年に国際標準になることが確実となったＪＰＥＧ２０００は、ＪＰＥＧよりも更に高性能なアルゴリズムを持つばかりでなく、並行して、大幅な多機能化や、様々なアプリケーションに対する柔軟性と拡張性を図った結果、ＪＰＥＧ後継の次世代高精細静止画像圧縮伸長フォーマットとして、期待されている。
【０００３】
ところで、ＪＰＥＧやＪＰＥＧ２０００の符号フォーマットにおいては、例えばコメント等の情報を付加したいときに利用可能なコメントマーカ（ＣＯＭマーカ）があり、圧縮符号化するに際して、このＣＯＭマーカ中に画像データとは別の任意の付加情報を入れておくことが可能とされている。このような付加情報の存在は、復号時にデコーダによって認識され、例えば、それが使用されたエンコーダ名である場合にはデコード時に当該付加情報の内容が表示されたり、デコード後に、当該画像のプロパティとして表示可能であったりする。このような付加情報は、任意であるが、例えばスキャニング日時、撮影日時、撮影条件、コピーライト等の各種情報がある。このようなＣＯＭマーカの内容の表示や印刷に関しては、特許文献１，２等に記載されている。
【０００４】
【特許文献１】
特開平８−１３７１１４号公報
【特許文献２】
特開平８−１３７１１５号公報
【０００５】
【発明が解決しようとする課題】
ところで、近年においては、ファクシミリ装置から送信されたファクシミリ画情報を、パーソナルコンピュータ等の情報処理装置で電子メールとして扱うようにしたシステムが開発されている。より具体的には、受信したファクシミリ画情報を添付画像ファイルに変換し、この添付画像ファイルを電子メールとして扱うものである。すなわち、電子メール機能を有していないファクシミリ装置から送信された情報を、電子メール機能を有している情報処理装置において電子メールとして扱うことができるのである。
【０００６】
しかしながら、上述したシステムによれば、電子メールには添付画像ファイルのみが添付されるため、文章等の付帯情報をユーザに対して伝達するには、画像に対して文章等の付帯情報を書込み、その画像ファイルをユーザが開くことが必要である。
【０００７】
したがって、上述したようなシステムにおいては、ファクシミリ画情報に文章等の付帯情報が記述された状態の電子メールとして扱えるようにすることが望まれている。
【０００８】
本発明の目的は、電子メールの送受信機能を有さないファクシミリ装置と電子メールの送受信機能を有する情報処理装置との間における電子情報の伝達を文章付きの電子メールで実現することである。
【０００９】
【課題を解決するための手段】
請求項１記載の発明の電子情報伝達方法は、ファクシミリ画情報の送受信機能を有するファクシミリ装置と、このファクシミリ装置に対してネットワークを介して接続されておりファクシミリ画情報及び電子メールの送受信機能を有する情報処理装置との間における電子情報伝達方法において、前記ファクシミリ装置におけるファクシミリ画情報の圧縮符号の生成に際し、当該ファクシミリ画情報に係る付帯情報を圧縮符号フォーマットで規定された所定のマーカセグメントで管理するステップと、前記ファクシミリ装置から受け取った前記ファクシミリ画情報の圧縮符号の前記マーカセグメントで管理されている前記付帯情報を前記情報処理装置で取得するステップと、前記ファクシミリ画情報の圧縮符号を電子メールの添付画像ファイルとし、当該ファクシミリ画情報に係る付帯情報を電子メールの文章とするステップと、を含む。
【００１０】
したがって、ファクシミリ装置で生成したファクシミリ画情報を、情報処理装置において添付画像ファイル及び文章で構成される電子メールとして扱うことが可能になる。これにより、電子メールの送受信機能を有さないファクシミリ装置と電子メールの送受信機能を有する情報処理装置との間における電子情報の伝達を文章付きの電子メールで実現することが可能になる。
【００１１】
請求項２記載の発明は、請求項１記載の電子情報伝達方法において、圧縮符号フォーマットはＪＰＥＧ２０００の符号フォーマットであって、前記付帯情報を管理する前記マーカセグメントはＣＯＭマーカである。
【００１２】
したがって、ファイルの互換性を維持することが可能になり、汎用性を有することになる。
【００１３】
請求項３記載の発明のファクシミリ装置は、ファクシミリ画情報の送受信機能を有するファクシミリ装置において、前記ファクシミリ画情報の圧縮符号の生成に際し、当該ファクシミリ画情報に係る付帯情報を圧縮符号フォーマットで規定された所定のマーカセグメントで管理する付帯情報管理手段を備える。
【００１４】
したがって、ファクシミリ画情報に係る付帯情報が所定のマーカセグメントで管理されたファクシミリ画情報が生成される。これにより、マーカセグメントで管理されている付帯情報を電子メールの文章とすることで、ファクシミリ装置で生成したファクシミリ画情報を、情報処理装置において添付画像ファイル及び文章で構成される電子メールとして扱うことが可能になる。
【００１５】
請求項４記載の発明は、請求項３記載のファクシミリ装置において、圧縮符号フォーマットはＪＰＥＧ２０００の符号フォーマットであって、前記付帯情報を管理する前記マーカセグメントはＣＯＭマーカである。
【００１６】
したがって、ファイルの互換性を維持することが可能になり、汎用性を有することになる。
【００１７】
請求項５記載の発明の情報処理装置は、請求項３または４記載のファクシミリ装置に対してネットワークを介して接続可能とされておりファクシミリ画情報及び電子メールの送受信機能を有する情報処理装置において、前記ファクシミリ装置から受け取ったファクシミリ画情報の圧縮符号のマーカセグメントで管理されている付帯情報を取得する付帯情報取得手段と、前記ファクシミリ画情報の圧縮符号を電子メールの添付画像ファイルとし、当該ファクシミリ画情報に係る付帯情報を電子メールの文章とする電子メール生成手段と、を備える。
【００１８】
したがって、ファクシミリ装置から受け取った付帯情報が所定のマーカセグメントで管理されたファクシミリ画情報を、添付画像ファイル及び文章で構成される電子メールとして扱うことが可能になる。これにより、電子メールの送受信機能を有さないファクシミリ装置と電子メールの送受信機能を有する情報処理装置との間における電子情報の伝達を文章付きの電子メールで実現することが可能になる。
【００１９】
請求項６記載の発明のプログラムは、ファクシミリ画情報の送受信機能を有するファクシミリ装置に備えられるコンピュータにインストールされるか、あるいは解釈されて実行されるプログラムであって、前記コンピュータに、前記ファクシミリ画情報の圧縮符号の生成に際し、当該ファクシミリ画情報に係る付帯情報を圧縮符号フォーマットで規定された所定のマーカセグメントで管理する付帯情報管理機能を実行させる。
【００２０】
したがって、ファクシミリ画情報に係る付帯情報が所定のマーカセグメントで管理されたファクシミリ画情報が生成される。これにより、マーカセグメントで管理されている付帯情報を電子メールの文章とすることで、ファクシミリ装置で生成したファクシミリ画情報を、情報処理装置において添付画像ファイル及び文章で構成される電子メールとして扱うことが可能になる。
【００２１】
請求項７記載の発明のプログラムは、請求項３または４記載のファクシミリ装置に対してネットワークを介して接続可能とされておりファクシミリ画情報及び電子メールの送受信機能を有する情報処理装置に備えられるコンピュータにインストールされるか、あるいは解釈されて実行されるプログラムであって、前記コンピュータに、前記ファクシミリ装置から受け取ったファクシミリ画情報の圧縮符号のマーカセグメントで管理されている付帯情報を取得する付帯情報取得機能と、前記ファクシミリ画情報の圧縮符号を電子メールの添付画像ファイルとし、当該ファクシミリ画情報に係る付帯情報を電子メールの文章とする電子メール生成機能と、を実行させる。
【００２２】
したがって、ファクシミリ装置から受け取った付帯情報が所定のマーカセグメントで管理されたファクシミリ画情報を、添付画像ファイル及び文章で構成される電子メールとして扱うことが可能になる。これにより、電子メールの送受信機能を有さないファクシミリ装置と電子メールの送受信機能を有する情報処理装置との間における電子情報の伝達を文章付きの電子メールで実現することが可能になる。
【００２３】
請求項８記載の発明の記憶媒体は、ファクシミリ画情報の送受信機能を有するファクシミリ装置に備えられるコンピュータにインストールされるか、あるいは解釈されて実行されるプログラムであって、前記コンピュータに、前記ファクシミリ画情報の圧縮符号の生成に際し、当該ファクシミリ画情報に係る付帯情報を圧縮符号フォーマットで規定された所定のマーカセグメントで管理する付帯情報管理機能を実行させるプログラムを記憶する。
【００２４】
したがって、ファクシミリ画情報に係る付帯情報が所定のマーカセグメントで管理されたファクシミリ画情報が生成される。これにより、マーカセグメントで管理されている付帯情報を電子メールの文章とすることで、ファクシミリ装置で生成したファクシミリ画情報を、情報処理装置において添付画像ファイル及び文章で構成される電子メールとして扱うことが可能になる。
【００２５】
請求項９記載の発明の記憶媒体は、請求項３または４記載のファクシミリ装置に対してネットワークを介して接続可能とされておりファクシミリ画情報及び電子メールの送受信機能を有する情報処理装置に備えられるコンピュータにインストールされるか、あるいは解釈されて実行されるプログラムであって、前記コンピュータに、前記ファクシミリ装置から受け取ったファクシミリ画情報の圧縮符号のマーカセグメントで管理されている付帯情報を取得する付帯情報取得機能と、前記ファクシミリ画情報の圧縮符号を電子メールの添付画像ファイルとし、当該ファクシミリ画情報に係る付帯情報を電子メールの文章とする電子メール生成機能と、を実行させるプログラムを記憶する。
【００２６】
したがって、ファクシミリ装置から受け取った付帯情報が所定のマーカセグメントで管理されたファクシミリ画情報を、添付画像ファイル及び文章で構成される電子メールとして扱うことが可能になる。これにより、電子メールの送受信機能を有さないファクシミリ装置と電子メールの送受信機能を有する情報処理装置との間における電子情報の伝達を文章付きの電子メールで実現することが可能になる。
【００２７】
【発明の実施の形態】
本発明の実施の一形態を図１ないし図１３に基づいて説明する。
【００２８】
最初に、本実施の形態の前提となる「階層符号化アルゴリズム」及び「ＪＰＥＧ２０００アルゴリズム」の概要について説明する。
【００２９】
図１は、ＪＰＥＧ２０００方式の基本となる階層符号化アルゴリズムを実現するシステムの機能ブロック図である。このシステムは、色空間変換・逆変換部１０１、２次元ウェーブレット変換・逆変換部１０２、量子化・逆量子化部１０３、エントロピー符号化・復号化部１０４、タグ処理部１０５の各機能ブロックにより構成されている。
【００３０】
このシステムが従来のＪＰＥＧアルゴリズムと比較して最も大きく異なる点の一つは変換方式である。ＪＰＥＧでは離散コサイン変換（ＤＣＴ：Ｄｉｓｃｒｅｔｅ  Ｃｏｓｉｎｅ  Ｔｒａｎｓｆｏｒｍ）を用いているのに対し、この階層符号化アルゴリズムでは、２次元ウェーブレット変換・逆変換部１０２において、離散ウェーブレット変換（ＤＷＴ：Ｄｉｓｃｒｅｔｅ  Ｗａｖｅｌｅｔ  Ｔｒａｎｓｆｏｒｍ）を用いている。ＤＷＴはＤＣＴに比べて、高圧縮領域における画質が良いという長所を有し、この点が、ＪＰＥＧの後継アルゴリズムであるＪＰＥＧ２０００でＤＷＴが採用された大きな理由の一つとなっている。
【００３１】
また、他の大きな相違点は、この階層符号化アルゴリズムでは、システムの最終段に符号形成を行うために、タグ処理部１０５の機能ブロックが追加されていることである。このタグ処理部１０５で、画像の圧縮動作時には圧縮データが符号列データとして生成され、伸長動作時には伸長に必要な符号列データの解釈が行われる。そして、符号列データによって、ＪＰＥＧ２０００は様々な便利な機能を実現できるようになった。例えば、ブロック・ベースでのＤＷＴにおけるオクターブ分割に対応した任意の階層（デコンポジション・レベル）で、静止画像の圧縮伸長動作を自由に停止させることができるようになる（後述する図３参照）。
【００３２】
原画像の入出力部分には、色空間変換・逆変換１０１が接続される場合が多い。例えば、原色系のＲ（赤）／Ｇ（緑）／Ｂ（青）の各コンポーネントからなるＲＧＢ表色系や、補色系のＹ（黄）／Ｍ（マゼンタ）／Ｃ（シアン）の各コンポーネントからなるＹＭＣ表色系から、ＹＵＶあるいはＹＣｂＣｒ表色系への変換又は逆変換を行う部分がこれに相当する。
【００３３】
次に、ＪＰＥＧ２０００アルゴリズムについて説明する。
【００３４】
カラー画像は、一般に、図２に示すように、原画像の各コンポーネント１１１（ここではＲＧＢ原色系）が、矩形をした領域によって分割される。この分割された矩形領域は、一般にブロックあるいはタイルと呼ばれているものであるが、ＪＰＥＧ２０００では、タイルと呼ぶことが一般的であるため、以下、このような分割された矩形領域をタイルと記述することにする（図２の例では、各コンポーネント１１１が縦横４×４、合計１６個の矩形のタイル１１２に分割されている）。このような個々のタイル１１２（図２の例で、Ｒ００，Ｒ０１，…，Ｒ１５／Ｇ００，Ｇ０１，…，Ｇ１５／Ｂ００，Ｂ０１，…，Ｂ１５）が、画像データの圧縮伸長プロセスを実行する際の基本単位となる。従って、画像データの圧縮伸長動作は、コンポーネントごと、また、タイル１１２ごとに、独立に行われる。
【００３５】
画像データの符号化時には、各コンポーネント１１１の各タイル１１２のデータが、図１の色空間変換・逆変換部１０１に入力され、色空間変換を施された後、２次元ウェーブレット変換部１０２で２次元ウェーブレット変換（順変換）が施されて、周波数帯に空間分割される。
【００３６】
図３には、デコンポジション・レベル数が３の場合の、各デコンポジション・レベルにおけるサブバンドを示している。すなわち、原画像のタイル分割によって得られたタイル原画像（０ＬＬ）（デコンポジション・レベル０）に対して、２次元ウェーブレット変換を施し、デコンポジション・レベル１に示すサブバンド（１ＬＬ，１ＨＬ，１ＬＨ，１ＨＨ）を分離する。そして引き続き、この階層における低周波成分１ＬＬに対して、２次元ウェーブレット変換を施し、デコンポジション・レベル２に示すサブバンド（２ＬＬ，２ＨＬ，２ＬＨ，２ＨＨ）を分離する。順次同様に、低周波成分２ＬＬに対しても、２次元ウェーブレット変換を施し、デコンポジション・レベル３に示すサブバンド（３ＬＬ，３ＨＬ，３ＬＨ，３ＨＨ）を分離する。図３では、各デコンポジション・レベルにおいて符号化の対象となるサブバンドを、網掛けで表してある。例えば、デコンポジション・レベル数を３としたとき、網掛けで示したサブバンド（３ＨＬ，３ＬＨ，３ＨＨ，２ＨＬ，２ＬＨ，２ＨＨ，１ＨＬ，１ＬＨ，１ＨＨ）が符号化対象となり、３ＬＬサブバンドは符号化されない。
【００３７】
次いで、指定した符号化の順番で符号化の対象となるビットが定められ、図１に示す量子化・逆量子化部１０３で対象ビット周辺のビットからコンテキストが生成される。
【００３８】
この量子化の処理が終わったウェーブレット係数は、個々のサブバンド毎に、「プレシンクト」と呼ばれる重複しない矩形に分割される。これは、インプリメンテーションでメモリを効率的に使うために導入されたものである。図４に示したように、一つのプレシンクトは、空間的に一致した３つの矩形領域からなっている。更に、個々のプレシンクトは、重複しない矩形の「コード・ブロック」に分けられる。これは、エントロピー・コーディングを行う際の基本単位となる。
【００３９】
ウェーブレット変換後の係数値は、そのまま量子化し符号化することも可能であるが、ＪＰＥＧ２０００では符号化効率を上げるために、係数値を「ビットプレーン」単位に分解し、画素あるいはコード・ブロック毎に「ビットプレーン」に順位付けを行うことができる。
【００４０】
ここで、図５はビットプレーンに順位付けする手順の一例を示す説明図である。図５に示すように、この例は、原画像（３２×３２画素）を１６×１６画素のタイル４つで分割した場合で、デコンポジション・レベル１のプレシンクトとコード・ブロックの大きさは、各々８×８画素と４×４画素としている。プレシンクトとコード・ブロックの番号は、ラスター順に付けられており、この例では、プレンシクトが番号０から３まで、コード・ブロックが番号０から３まで割り当てられている。タイル境界外に対する画素拡張にはミラーリング法を使い、可逆（５，３）フィルタでウェーブレット変換を行い、デコンポジション・レベル１のウェーブレット係数値を求めている。
【００４１】
また、タイル０／プレシンクト３／コード・ブロック３について、代表的な「レイヤ」構成の概念の一例を示す説明図も図５に併せて示す。変換後のコード・ブロックは、サブバンド（１ＬＬ，１ＨＬ，１ＬＨ，１ＨＨ）に分割され、各サブバンドにはウェーブレット係数値が割り当てられている。
【００４２】
レイヤの構造は、ウェーブレット係数値を横方向（ビットプレーン方向）から見ると理解し易い。１つのレイヤは任意の数のビットプレーンから構成される。この例では、レイヤ０，１，２，３は、各々、１，３，１，３のビットプレーンから成っている。そして、ＬＳＢ（Ｌｅａｓｔ  Ｓｉｇｎｉｆｉｃａｎｔ  Ｂｉｔ：最下位ビット）に近いビットプレーンを含むレイヤ程、先に量子化の対象となり、逆に、ＭＳＢ（Ｍｏｓｔ  Ｓｉｇｎｉｆｉｃａｎｔ  Ｂｉｔ：最上位ビット）に近いレイヤは最後まで量子化されずに残ることになる。ＬＳＢに近いレイヤから破棄する方法はトランケーションと呼ばれ、量子化率を細かく制御することが可能である。このように、ビットプレーン（又はサブビットプレーン）を削っていない状態の符号から所定の圧縮率になるまで符号を破棄する処理はポスト量子化と呼ばれており、ＪＰＥＧ２０００アルゴリズムの最も大きな特徴である。
【００４３】
図１に示すエントロピー符号化・復号化部１０４では、コンテキストと対象ビットから確率推定によって、各コンポーネント１１１のタイル１１２に対する符号化を行う。こうして、原画像の全てのコンポーネント１１１について、タイル１１２単位で符号化処理が行われる。最後にタグ処理部１０５は、エントロピー符号化・復号化部１０４からの全符号化データを１本の符号列データ（コードストリーム）に結合するとともに、それにタグを付加する処理を行う。
【００４４】
一方、復号化時には、画像データの符号化時とは逆に、各コンポーネント１１１の各タイル１１２の符号列データから画像データを生成する。この場合、タグ処理部１０５は、外部より入力した符号列データに付加されたタグ情報を解釈し、符号列データを各コンポーネント１１１の各タイル１１２の符号列データに分解し、その各コンポーネント１１１の各タイル１１２の符号列データ毎に復号化処理（伸長処理）を行う。このとき、符号列データ内のタグ情報に基づく順番で復号化の対象となるビットの位置が定められるとともに、量子化・逆量子化部１０３で、その対象ビット位置の周辺ビット（既に復号化を終えている）の並びからコンテキストが生成される。エントロピー符号化・復号化部１０４で、このコンテキストと符号列データから確率推定によって復号化を行い、対象ビットを生成し、それを対象ビットの位置に書き込む。このようにして復号化されたデータは周波数帯域毎に空間分割されているため、これを２次元ウェーブレット変換・逆変換部１０２で２次元ウェーブレット逆変換を行うことにより、画像データの各コンポーネントの各タイルが復元される。復元されたデータは色空間変換・逆変換部１０１によって元の表色系の画像データに変換される。
【００４５】
以上が、「ＪＰＥＧ２０００アルゴリズム」の概要である。
【００４６】
以下、本発明の実施の一形態について説明する。なお、ここでは、ＪＰＥＧ２０００を代表とする画像圧縮伸長技術に関する例について説明するが、言うまでもなく、本発明は以下の説明の内容に限定されるものではない。
【００４７】
図６は、本発明が適用される情報システムの概要を示すシステム構成図である。図６に示すように、本発明が適用される情報システムは、パファクシミリ装置５０及びーソナルコンピュータである情報処理装置１００が、デジタル公衆回線網ＩＳＤＮであるネットワークＮを介して接続されて構成されている。
【００４８】
まず、ファクシミリ装置５０について説明する。図７はファクシミリ装置５０のハードウェア構成の概略を示すブロック図である。図７に示すように、ファクシミリ装置５０は、このファクシミリ装置５０に設けられる各部を制御するシステム制御部５１を備えている。このシステム制御部５１はＣＰＵ（Ｃｅｎｔｒａｌ  Ｐｒｏｃｅｓｓｉｎｇ  Ｕｎｉｔ）を有してマイクロコンピュータを構成し、蓄積交換型プログラム方式による伝送制御手順に従い当該ファクシミリ装置５０の全体動作制御を行う。記憶媒体であるＲＯＭ（Ｒｅａｄ  Ｏｎｌｙ  Ｍｅｍｏｒｙ）５２は、各種機能をシステム制御部５１に実現させるための動作制御用のプログラムを格納するものである。このため、本実施の形態では、ＲＯＭ５２が例えばＥＥＰＲＯＭやフラッシュメモリにより構成され、ＲＯＭ５２に記憶されているプログラムが書換え自在とされている。なお、特に図示しないが、ネットワーク経由でプログラムをダウンロードさせる場合であれば、ネットワークインタフェースを付加すればよい。ＲＡＭ（Ｒａｎｄｏｍ  Ａｃｃｅｓｓ  Ｍｅｍｏｒｙ）５３は、システム制御部５１のワークエリアとして機能するもので、各種情報を書換え自在に格納する。
【００４９】
また、ファクシミリ装置５０は、スキャナ５４、プロッタ５５、操作表示部５６、符号化復号化部５７、画像メモリ５８、通信制御部５９を備え、これらの構成要素は内部バス６２を介してシステム制御部５１に接続されており、これらの各構成要素間でのデータのやり取りは、主としてこの内部バス６２を介して行われる。
【００５０】
スキャナ５４は、送信対象となる原稿画像を光電変換して電気的に読み取るものである。
【００５１】
プロッタ５５は、レーザプリンタ等により構成され、受信したファクシミリ画情報の印刷出力を受け持つものである。
【００５２】
操作表示部５６は、相手先電話番号を指定するためのテンキー、送信スタートキー、ワンタッチダイヤルキー、及び、その他各種キーが配設される入力操作部と、ユーザに知らせるべき装置の動作状態や、各種メッセージを表示するＬＣＤ（Ｌｉｑｕｉｄ  Ｃｒｙｓｔａｌ  Ｄｉｓｐｌａｙ）等の表示部とを備える。
【００５３】
符号化復号化部５７は、スキャナ５４で読み取った画像データをデータ圧縮（符号化圧縮）してファクシミリ画情報に生成するとともに、受信したファクシミリ画情報を元の画像データに復元（復号化）するものである。
【００５４】
本実施の形態における符号化復号化部５７でのデータ圧縮は、「ＪＰＥＧ２０００アルゴリズム」に従うものである。図８は、ＪＰＥＧ２０００の符号フォーマットの概略構成を示すものである。符号フォーマットは、符号データの始まりを示すＳＯＣ（Ｓｔａｒｔ  ｏｆ  Ｃｏｄｅｓｔｒｅａｍ）マーカで始まる。ＳＯＣマーカの後には符号化のパラメータや量子化のパラメータ等を記述したタグ情報であるメインヘッダ（Ｍａｉｎ  Ｈｅａｄｅｒ）が続き、その後に実際の符号データが続く。実際の符号データは、ＳＯＴ（Ｓｔａｒｔ  ｏｆ  Ｔｉｌｅ−ｐａｒｔ）マーカで始まり、タグ情報であるタイルヘッダ（Ｔｉｌｅ  Ｈｅａｄｅｒ）、ＳＯＤ（Ｓｔａｒｔ  ｏｆ  ｄａｔａ）マーカ、タイルデータ（符号：ｂｉｔ  ｓｔｒｅａｍ）で構成される。これら画像全体に相当する符号データの後に、符号の終了を示すタグ情報であるＥＯＣ（Ｅｎｄ  ｏｆ  Ｃｏｄｅｓｔｒｅａｍ）マーカが付加される。上述したようなメインヘッダ及びタイルヘッダには、コメントデータを記述可能なコメントマーカ（ＣＯＭマーカ）を備えることができる。
【００５５】
コメントマーカ（ＣＯＭマーカ）は、コメント等の情報を付加したいときに利用するマーカで、メインヘッダ、タイルヘッダの双方で使用可能である。図９にＣＯＭマーカセグメントの構成例を示す。Ｌｃｏｍは当該マーカセグメントの大きさ、Ｒｃｏｍは記述される値、Ｃｃｏｍ（ｉ）はコメントデータを記述するものである。ここで、図１０はＲｃｏｍの記述内容を示す説明図である。Ｒｃｏｍには、図１０に示すように、ｂｉｎａｒｙデータならば“０”が、ＩＳ８８５９−１５：１９９９（Ｌａｔｉｎ）データならば“１”が記述される。また、本実施の形態のＣｃｏｍ（ｉ）には、コメントデータとして、ファクシミリ画情報に係る文章等の付帯情報が、キャラクタコード列でメインヘッダのコメントマーカに記述されている。このような付帯情報は、操作表示部５６の入力操作部から入力することができる。
【００５６】
ここに、付帯情報管理手段の機能が実行される。
【００５７】
画像メモリ５８は、送受信対象となる符号化圧縮された状態のファクシミリ画情報を蓄積するものである。
【００５８】
通信制御部５９には、ＤＳＵ（Ｄｉｇｉｔａｌ  Ｓｅｒｖｉｃｅ  Ｕｎｉｔ）６０及びＴＡ（Ｔｅｒｍｉｎａｌ  Ａｄａｐｔｅｒ）６１が接続されている。通信制御部５９は、ＤＳＵ６０及びＴＡ６１を介してファクシミリ装置５０をデジタル公衆回線網ＩＳＤＮであるネットワークＮに接続するとともに、レイヤ１の信号処理機能およびＤチャネル（信号チャネル）の信号と２つのＢチャネル（情報チャネル）の信号の統合／分離機能を備えたものである。より詳細には、呼設定／呼解放手順処理などＩＳＤＮのＤチャネル上の信号処理を実行するとともに、Ｂチャネル上で行うＧ４ファクシミリ伝送手順機能及びＧ３ファクシミリ伝送手順機能を実現する。
【００５９】
次に、情報処理装置１００について説明する。図１１は、情報処理装置１００のハードウェア構成の概略を示すブロック図である。情報処理装置１００は、パーソナルコンピュータであって、この情報処理装置１００に設けられる各部を制御するシステム制御部１を備えている。このシステム制御部１はＣＰＵ（Ｃｅｎｔｒａｌ  Ｐｒｏｃｅｓｓｉｎｇ  Ｕｎｉｔ）を有してマイクロコンピュータを構成し、当該情報処理装置１００の全体動作制御を行う。ＲＯＭ（Ｒｅａｄ  Ｏｎｌｙ  Ｍｅｍｏｒｙ）２は、起動プログラム等を格納するものである。また、ＲＡＭ（Ｒａｎｄｏｍ  Ａｃｃｅｓｓ  Ｍｅｍｏｒｙ）３は、システム制御部１のワークエリアとして機能するもので、各種情報を書換え自在に格納する。記憶部であるＨＤＤ（Ｈａｒｄ  Ｄｉｓｋ  Ｄｒｉｖｅ）８は、後述するような各種機能をシステム制御部１に実現させるための動作制御用のプログラム（例えば、オペレーティングシステムなど）を格納するものである。なお、特に図示しないが、ネットワーク経由でプログラムをダウンロードさせる場合であれば、ネットワークインタフェースを付加すればよい。なお、ＨＤＤ８は、送受信対象となる符号化圧縮された状態のファクシミリ画情報を蓄積する機能も有している。
【００６０】
また、情報処理装置１００は、処理経過や結果等を操作者に表示するＣＲＴ（Ｃａｔｈｏｄｅ  Ｒａｙ  Ｔｕｂｅ）やＬＣＤ（Ｌｉｑｕｉｄ  Ｃｒｙｓｔａｌ  Ｄｉｓｐｌａｙ）等の表示装置４、操作者がシステム制御部１に命令や情報等を入力するためのキーボードやマウス等の入力装置５、情報を記録メディアに保管したり記録メディアから情報を入手するための記録メディアドライブ６、符号化復号化部７、通信制御部９を備え、これらの構成要素は内部バス１２を介してシステム制御部１に接続されており、これらの各構成要素間でのデータのやり取りは、主としてこの内部バス１２を介して行われる。
【００６１】
符号化復号化部７は、画像データをデータ圧縮（符号化圧縮）するとともに、受信したファクシミリ画情報を元の画像データに復元（復号化）するものである。
【００６２】
通信制御部９には、ＤＳＵ（Ｄｉｇｉｔａｌ  Ｓｅｒｖｉｃｅ  Ｕｎｉｔ）１０及びＴＡ（ＴｅｒｍｉｎａｌＡｄａｐｔｅｒ）１１が接続されている。通信制御部９は、ＤＳＵ１０及びＴＡ１１を介して情報処理装置１００をデジタル公衆回線網ＩＳＤＮであるネットワークＮに接続するとともに、レイヤ１の信号処理機能およびＤチャネル（信号チャネル）の信号と２つのＢチャネル（情報チャネル）の信号の統合／分離機能を備えたものである。より詳細には、呼設定／呼解放手順処理などＩＳＤＮのＤチャネル上の信号処理を実行するとともに、Ｂチャネル上で行うＧ４ファクシミリ伝送手順機能及びＧ３ファクシミリ伝送手順機能を実現する。
【００６３】
また、通信制御部９には、ＬＡＮ（Ｌｏｃａｌ  Ａｒｅａ  Ｎｅｔｗｏｒｋ）制御部１３が接続されており、情報処理装置１００はＬＡＮを介して接続されるメールサーバ装置（図示せず）経由でインターネットに接続されている。
【００６４】
ここで、基本的には、インターネットにおけるデータのやりとりは、いわゆるＴＣＰ／ＩＰと呼ばれるトランスポートレイヤまでの伝送プロトコルと、それ以上の上位レイヤの通信プロトコルとの組み合わせ（いわゆるプロトコルスイート）が適用して行われる。例えば、電子メールのデータのやりとりでは上位レイヤの通信プロトコルとしてＳＭＴＰ（Ｓｉｍｐｌｅ  Ｍａｉｌ  Ｔｒａｎｓｆｅｒ  Ｐｒｏｔｏｃｏｌ）という通信プロトコルが適用される。
【００６５】
また、ＴＣＰ／ＩＰ，ＳＭＴＰなどの通信プロトコル、および、電子メールのデータ形式やデータ構造などについては、それぞれＩＥＴＦ（Ｉｎｔｅｒｎｅｔ  Ｅｎｇｉｎｅｅｒｉｎｇ  Ｔａｓｋ  Ｆｏｒｃｅ）というインターネットに関する技術内容をまとめている組織から発行されているＲＦＣ（Ｒｅｑｕｅｓｔ  Ｆｏｒ  Ｃｏｍｍｅｎｔｓ）文書により規定されている。例えば、ＴＣＰはＲＦＣ７９３、ＩＰはＲＦＣ７９３、ＳＭＴＰはＲＦＣ８２１、電子メールの形式は、ＲＦＣ８２２，ＲＦＣ１５２１，ＲＦＣ１５２２（ＭＩＭＥ（Ｍｕｌｔｉ  Ｐｕｒｐｏｓｅ  Ｍａｉｌ  Ｅｘｔｅｎｓｉｏｎ）形式）などでそれぞれ規定されている。
【００６６】
このような情報処理装置１００では、ユーザが電源を投入するとシステム制御部１がＲＯＭ２内のローダーという起動プログラムを起動させ、ＨＤＤ８よりオペレーティングシステムというコンピュータのハードウェアとソフトウェアとを管理するプログラムをＲＡＭ３に読み込み、このオペレーティングシステムを起動させる。このようなオペレーティングシステムは、ユーザの操作に応じてプログラムを起動したり、情報を読み込んだり、保存を行ったりする。オペレーティングシステムのうち代表的なものとしては、Ｗｉｎｄｏｗｓ（登録商標）、ＵＮＩＸ（登録商標）等が知られている。これらのオペレーティングシステム上で走る動作プログラムをアプリケーションプログラムと呼んでいる。
【００６７】
ここで、情報処理装置１００は、アプリケーションプログラムとして、デコードプログラムを含む画像処理プログラムをＨＤＤ８に記憶している。この意味で、ＨＤＤ８は、プログラムを記憶する記憶媒体として機能する。
【００６８】
また、一般的には、情報処理装置１００のＨＤＤ８にインストールされる動作プログラムは、ＣＤ−ＲＯＭやＤＶＤ−ＲＯＭ等の光情報記録メディアやＦＤ等の磁気メディア等の記録メディアに記録され、この記録された動作プログラムがＨＤＤ８にインストールされる。このため、ＣＤ−ＲＯＭ等の光情報記録メディアやＦＤ等の磁気メディア等の可搬性を有する記憶媒体も、画像処理プログラムを記憶する記憶媒体となり得る。
【００６９】
情報処理装置１００は、オペレーティングシステム上で動作する画像処理プログラムが起動すると、この画像処理プログラムに従い、システム制御部１が各種の演算処理を実行して各部を集中的に制御する。情報処理装置１００のシステム制御部１が実行する各種の演算処理のうち、本実施の形態の特長的な処理について以下に説明する。
【００７０】
ここでは、画像処理プログラムに従いシステム制御部１によって実行される処理のうち、ファクシミリ画情報の電子メール化処理について説明する。図１２は、ファクシミリ画情報の電子メール化処理の流れを概略的に示すフローチャートである。図１２に示すように、情報処理装置１００のシステム制御部１は、まず、通信制御部９により受信したＪＰＥＧ２０００の符号フォーマットのファクシミリ画情報を符号化復号化部７に転送する（ステップＳ１）。
【００７１】
ファクシミリ画情報を転送された符号化復号化部７は、ファクシミリ画情報のＪＰＥＧ２０００の符号フォーマット上にコメントマーカが記述されていて、かつ、Ｒｃｏｍが“１”（すなわち、ＩＳ８８５９−１５：１９９９（Ｌａｔｉｎ）データ）であるか否かを順に確認する（ステップＳ２）。
【００７２】
コメントマーカが記述されていて、Ｒｃｏｍが“１”である場合には（ステップＳ２のＹ）、ＣＯＭマーカセグメントのＬｃｏｍからコメントデータ長を読み出し、このデータ長分のコメントデータを抽出する（ステップＳ３）。なお、コメントデータ長は、実質的なデータの長さを表し、ＪＰＥＧ２０００の符号フォーマットの場合には、Ｌｃｏｍ（２バイト）及びＲｃｏｍ（２バイト）の計４バイトの値をコードストリームに書かれている値から引く必要がある。
【００７３】
次いで、ＨＤＤ８またはＲＡＭ３を探索し、表示を行う桁数、行数（以下、表示長）が設定されているか否かを判断する（ステップＳ４）。なお、この表示長は、予め入力装置５によって入力され、ＨＤＤ８またはＲＡＭ３に設定されている。
【００７４】
表示長が設定されていると判断した場合には（ステップＳ４のＹ）、ＨＤＤ８またはＲＡＭ３から表示長を読み出し（ステップＳ５）、その表示長とステップＳ３で読み出したコメントデータ長とを比較する（ステップＳ６）。
【００７５】
コメントデータ長が設定された表示長以下である場合には（ステップＳ６のＮ）、ステップＳ８に進み、ＨＤＤ８またはＲＡＭ３からデータを１文字分（１バイト分）読み出す。
【００７６】
一方、コメントデータ長が設定された表示長よりも大きい場合（ステップＳ６のＹ）、または、表示長が設定されていないと判断した場合には（ステップＳ４のＮ）、コメントデータ長を表示長とした後（ステップＳ７）、ステップＳ８に進む。
【００７７】
続くステップＳ９では、ステップＳ３で抽出したコメントデータが文字として表示可能か否か、即ち、キャラクタデータか否かを判断する。
【００７８】
ステップＳ３で抽出したコメントデータが文字として表示可能であると判断した場合には（ステップＳ９のＹ）、そのデータを所定のフォーマット（ここでは、電子メール用のアプリケーションにおける文章に対応するフォーマット）に生成する（ステップＳ１０）。
【００７９】
ステップＳ８〜Ｓ１０の処理は、表示長分終了するまで（ステップＳ１１のＹ）、繰り返される。すなわち、ステップＳ３〜Ｓ１１の処理により、ファクシミリ画情報の圧縮符号のマーカセグメントで管理されている付帯情報を取得する付帯情報取得手段の機能が実行される。
【００８０】
そして、ステップＳ３〜Ｓ１１の処理が終了した場合には、受信したＪＰＥＧ２０００の符号フォーマットのファクシミリ画情報を電子メール用のアプリケーションにおける添付画像ファイルとし、ファクシミリ画情報に係る付帯情報を電子メールの文章とする（ステップＳ１２）。ここに、電子メール生成手段の機能が実行される。
【００８１】
なお、コメントマーカが記述されておらず、または、Ｒｃｏｍが“１”でない場合にも（ステップＳ２のＮ）、受信したＪＰＥＧ２０００の符号フォーマットのファクシミリ画情報を電子メール用のアプリケーションにおける添付画像ファイルにする（ステップＳ１２）。
【００８２】
ここで、図１３は電子メール化処理が施されたファクシミリ画情報を電子メール用のアプリケーションを用いて表示装置４で閲覧した様子を例示的に示す正面図である。図１３に示すように、添付画像ファイルとなったＪＰＥＧ２０００の符号フォーマットのファクシミリ画情報を伸長した画像Ａとともに、コメントデータを文章Ｂとして閲覧することができる。
【００８３】
ここに、ファクシミリ装置５０で生成したファクシミリ画情報を、情報処理装置１００において添付画像ファイル及び文章で構成される電子メールとして扱うことが可能になる。これにより、電子メールの送受信機能を有さないファクシミリ装置５０と電子メールの送受信機能を有する情報処理装置１００との間における電子情報の伝達を文章付きの電子メールで実現することが可能になる。
【００８４】
【発明の効果】
請求項１記載の発明の電子情報伝達方法によれば、ファクシミリ画情報の送受信機能を有するファクシミリ装置と、このファクシミリ装置に対してネットワークを介して接続されておりファクシミリ画情報及び電子メールの送受信機能を有する情報処理装置との間における電子情報伝達方法において、前記ファクシミリ装置におけるファクシミリ画情報の圧縮符号の生成に際し、当該ファクシミリ画情報に係る付帯情報を圧縮符号フォーマットで規定された所定のマーカセグメントで管理するステップと、前記ファクシミリ装置から受け取った前記ファクシミリ画情報の圧縮符号の前記マーカセグメントで管理されている前記付帯情報を前記情報処理装置で取得するステップと、前記ファクシミリ画情報の圧縮符号を電子メールの添付画像ファイルとし、当該ファクシミリ画情報に係る付帯情報を電子メールの文章とするステップと、を含み、ファクシミリ装置で生成したファクシミリ画情報を、情報処理装置において添付画像ファイル及び文章で構成される電子メールとして扱うことにより、電子メールの送受信機能を有さないファクシミリ装置と電子メールの送受信機能を有する情報処理装置との間における電子情報の伝達を文章付きの電子メールで実現することができる。
【００８５】
請求項２記載の発明によれば、請求項１記載の電子情報伝達方法において、圧縮符号フォーマットはＪＰＥＧ２０００の符号フォーマットであって、前記付帯情報を管理する前記マーカセグメントはＣＯＭマーカであることにより、ファイルの互換性を維持することができるので、汎用性を有することになる。
【００８６】
請求項３記載の発明のファクシミリ装置によれば、ファクシミリ画情報の送受信機能を有するファクシミリ装置において、前記ファクシミリ画情報の圧縮符号の生成に際し、当該ファクシミリ画情報に係る付帯情報を圧縮符号フォーマットで規定された所定のマーカセグメントで管理する付帯情報管理手段を備え、ファクシミリ画情報に係る付帯情報が所定のマーカセグメントで管理されたファクシミリ画情報を生成することにより、マーカセグメントで管理されている付帯情報を電子メールの文章とすることで、ファクシミリ装置で生成したファクシミリ画情報を、情報処理装置において添付画像ファイル及び文章で構成される電子メールとして扱うことができる。
【００８７】
請求項４記載の発明によれば、請求項３記載のファクシミリ装置において、圧縮符号フォーマットはＪＰＥＧ２０００の符号フォーマットであって、前記付帯情報を管理する前記マーカセグメントはＣＯＭマーカであることにより、ファイルの互換性を維持することができるので、汎用性を有することになる。
【００８８】
請求項５記載の発明の情報処理装置によれば、請求項３または４記載のファクシミリ装置に対してネットワークを介して接続可能とされておりファクシミリ画情報及び電子メールの送受信機能を有する情報処理装置において、前記ファクシミリ装置から受け取ったファクシミリ画情報の圧縮符号のマーカセグメントで管理されている付帯情報を取得する付帯情報取得手段と、前記ファクシミリ画情報の圧縮符号を電子メールの添付画像ファイルとし、当該ファクシミリ画情報に係る付帯情報を電子メールの文章とする電子メール生成手段と、を備え、ファクシミリ装置から受け取った付帯情報が所定のマーカセグメントで管理されたファクシミリ画情報を、添付画像ファイル及び文章で構成される電子メールとして扱うことにより、電子メールの送受信機能を有さないファクシミリ装置と電子メールの送受信機能を有する情報処理装置との間における電子情報の伝達を文章付きの電子メールで実現することができる。
【００８９】
請求項６記載の発明のプログラムによれば、ファクシミリ画情報の送受信機能を有するファクシミリ装置に備えられるコンピュータにインストールされるか、あるいは解釈されて実行されるプログラムであって、前記コンピュータに、前記ファクシミリ画情報の圧縮符号の生成に際し、当該ファクシミリ画情報に係る付帯情報を圧縮符号フォーマットで規定された所定のマーカセグメントで管理する付帯情報管理機能を実行させ、ファクシミリ画情報に係る付帯情報が所定のマーカセグメントで管理されたファクシミリ画情報を生成することにより、マーカセグメントで管理されている付帯情報を電子メールの文章とすることで、ファクシミリ装置で生成したファクシミリ画情報を、情報処理装置において添付画像ファイル及び文章で構成される電子メールとして扱うことができる。
【００９０】
請求項７記載の発明のプログラムによれば、請求項３または４記載のファクシミリ装置に対してネットワークを介して接続可能とされておりファクシミリ画情報及び電子メールの送受信機能を有する情報処理装置に備えられるコンピュータにインストールされるか、あるいは解釈されて実行されるプログラムであって、前記コンピュータに、前記ファクシミリ装置から受け取ったファクシミリ画情報の圧縮符号のマーカセグメントで管理されている付帯情報を取得する付帯情報取得機能と、前記ファクシミリ画情報の圧縮符号を電子メールの添付画像ファイルとし、当該ファクシミリ画情報に係る付帯情報を電子メールの文章とする電子メール生成機能と、を実行させ、ファクシミリ装置から受け取った付帯情報が所定のマーカセグメントで管理されたファクシミリ画情報を、添付画像ファイル及び文章で構成される電子メールとして扱うことにより、電子メールの送受信機能を有さないファクシミリ装置と電子メールの送受信機能を有する情報処理装置との間における電子情報の伝達を文章付きの電子メールで実現することができる。
【００９１】
請求項８記載の発明の記憶媒体によれば、ファクシミリ画情報の送受信機能を有するファクシミリ装置に備えられるコンピュータにインストールされるか、あるいは解釈されて実行されるプログラムであって、前記コンピュータに、前記ファクシミリ画情報の圧縮符号の生成に際し、当該ファクシミリ画情報に係る付帯情報を圧縮符号フォーマットで規定された所定のマーカセグメントで管理する付帯情報管理機能を実行させるプログラムを記憶し、コンピュータにインストールされるか、あるいは解釈されて実行されることで、ファクシミリ画情報に係る付帯情報が所定のマーカセグメントで管理されたファクシミリ画情報を生成し、マーカセグメントで管理されている付帯情報を電子メールの文章とすることにより、ファクシミリ装置で生成したファクシミリ画情報を、情報処理装置において添付画像ファイル及び文章で構成される電子メールとして扱うことができる。
【００９２】
請求項９記載の発明の記憶媒体によれば、請求項３または４記載のファクシミリ装置に対してネットワークを介して接続可能とされておりファクシミリ画情報及び電子メールの送受信機能を有する情報処理装置に備えられるコンピュータにインストールされるか、あるいは解釈されて実行されるプログラムであって、前記コンピュータに、前記ファクシミリ装置から受け取ったファクシミリ画情報の圧縮符号のマーカセグメントで管理されている付帯情報を取得する付帯情報取得機能と、前記ファクシミリ画情報の圧縮符号を電子メールの添付画像ファイルとし、当該ファクシミリ画情報に係る付帯情報を電子メールの文章とする電子メール生成機能と、を実行させるプログラムを記憶し、コンピュータにインストールされるか、あるいは解釈されて実行されることで、ファクシミリ装置から受け取った付帯情報が所定のマーカセグメントで管理されたファクシミリ画情報を、添付画像ファイル及び文章で構成される電子メールとして扱うことにより、電子メールの送受信機能を有さないファクシミリ装置と電子メールの送受信機能を有する情報処理装置との間における電子情報の伝達を文章付きの電子メールで実現することができる。
【図面の簡単な説明】
【図１】本発明の前提となるＪＰＥＧ２０００方式の基本となる階層符号化アルゴリズムを実現するシステムの機能ブロック図である。
【図２】原画像の各コンポーネントの分割された矩形領域を示す説明図である。
【図３】デコンポジション・レベル数が３の場合の、各デコンポジション・レベルにおけるサブバンドを示す説明図である。
【図４】プレシンクトを示す説明図である。
【図５】ビットプレーンに順位付けする手順の一例を示す説明図である。
【図６】本発明が適用される情報システムの概要を示すシステム構成図である。
【図７】ファクシミリ装置のハードウェア構成の概略を示すブロック図である。
【図８】ＪＰＥＧ２０００の符号フォーマットの概略構成を示す説明図である。
【図９】ＣＯＭマーカセグメントの構成例を示す説明図である。
【図１０】Ｒｃｏｍの記述内容を示す説明図である。
【図１１】情報処理装置のハードウェア構成の概略を示すブロック図である。
【図１２】ファクシミリ画情報の電子メール化処理の流れを概略的に示すフローチャートである。
【図１３】電子メール化処理が施されたファクシミリ画情報を電子メール用のアプリケーションを用いて表示装置で閲覧した様子を例示的に示す正面図である。
【符号の説明】
５０      ファクシミリ装置
１００    情報処理装置
８，５２      記憶媒体
Ｎ        ネットワーク
【図１】
2004236228.tif 000003
【図２】
2004236228.tif 000004
【図３】
2004236228.tif 000005
【図４】
2004236228.tif 000006
【図５】
2004236228.tif 000007
【図６】
2004236228.tif 000008
【図７】
2004236228.tif 000009
【図８】
2004236228.tif 000010
【図９】
2004236228.tif 000011
【図１０】
2004236228.tif 000012
【図１１】
2004236228.tif 000013
【図１２】
2004236228.tif 000014
【図１３】
2004236228.tif 000015